(57)【特許請求の範囲】
【請求項１】
給湯源の湯を浴槽側壁に接続された追い焚き循環路を通して浴槽に落とし込む配管システムを備え、追い焚き循環路には浴槽内の湯水を循環させる循環ポンプと湯水の流れを検出する流水検出センサが設けられ、また、浴槽水位を検出する水位検出センサが設けられており、浴槽に定水量の単位水量が断続的に落とし込まれるごとに前記循環ポンプを駆動したときに前記流水検出センサによって浴槽内の湯水の流れが最初に検出されたことを確認し、この浴槽湯水確認動作の後に基準水位まで注湯する注湯量であって初期基準水量として定められる水量データを格納する初期基準水量格納部と、この初期基準水量格納部に格納した初期基準水量の湯水を前記浴槽湯水確認動作の後に注湯し、然る後に前記基準水位から指定された設定水位までの注湯量を注湯する注湯制御部を備えた自動湯張り器具であって、前記初期基準水量の変更データを変更基準水量として入力する変更データ入力部と、この入力された変更基準水量のデータを記憶する記憶部と、この記憶部に前記変更基準データを書き込むデータ書き込み部とが設けられており、この変更基準水量が入力された以降は該変更基準水量を初期基準水量として注湯する構成としたことを特徴とする自動湯張り器具。
【請求項２】
変更基準水量のデータを記憶する記憶部に変更基準水量のデータが記憶された以降は変更基準水量のデータを初期基準水量のデータとして優先決定し、変更基準水量のデータを記憶する記憶部に変更基準水量のデータが記憶されていないときには初期基準水量格納部に格納されている水量データを初期基準水量のデータとして優先決定する優先決定部が設けられ、注湯制御部は、流水検出センサによって浴槽内の湯水の流れが最初に検出されたことを確認した後に、前記優先決定部によって優先決定された初期基準水量データの水量を浴槽に注湯する構成としたことを特徴とする請求項１記載の自動湯張り器具。
【請求項３】
給湯源の湯を浴槽側壁に接続された追い焚き循環路を通して浴槽に落とし込む配管システムを備え、追い焚き循環路には浴槽内の湯水を循環させる循環ポンプと湯水の流れを検出する流水検出センサが設けられ、また、浴槽水位を検出する水位検出センサが設けられており、浴槽に定水量の単位水量が断続的に落とし込まれるごとに前記循環ポンプを駆動したときに前記流水検出センサによって浴槽内の湯水の流れが最初に検出されたことを確認し、この浴槽湯水確認動作の後に基準水位まで注湯する注湯量であって初期基準水量として定められる水量データを格納する初期基準水量格納部と、この初期基準水量格納部に格納した初期基準水量の湯水を前記浴槽湯水確認動作の後に注湯し、然る後に前記基準水位から指定された設定水位までの注湯量を注湯する注湯制御部を備えた自動湯張り器具であって、前記初期基準水量のデータは選択用データ格納部に水量の異なる複数のデータとして与えられており、該選択用データ格納部に与えられた水量データのうち指定の水量を選択指令する水量データ選定入力部が設けられ、該水量データ選定入力部によって選択指令された水量を初期基準水量として注湯する構成としたことを特徴とする自動湯張り器具。
【発明の詳細な説明】
【０００１】
【産業上の利用分野】
本発明は、風呂の自動湯張り機能を備えた自動湯張り器具に関するものである。
【０００２】
【従来の技術】
給湯源の給湯熱交換器で作り出した湯を追い焚き循環管路に送り込み、この追い焚き循環管路を介して浴槽内に落とし込んで自動湯張りを行う、自動湯張り器具としての湯張り機能付給湯器が広く採用されている。
【０００３】
図６には、この種の湯張り機能付給湯器の配管システムが示されている。同図において、風呂バーナ６の上側に追い焚き熱交換器７が設けられ、その追い焚き熱交換器７の入口側には管路17の一端側が接続され、管路17の他端側は循環ポンプ18の吐出側に接続されている。この管路17には通水の温度を検出するサーミスタ等の風呂温度センサ９が設けられている。
【０００４】
循環ポンプ18の吸込側には追い焚き循環路14の戻り管15が接続されており、循環口である戻り管15の戻り口側（入口側）は浴槽１の側壁に循環金具２を介して接続されている。この戻り管15には通水を検知してオン信号を出力する流水検出センサとしての追い焚き流水スイッチ16が設けられている。追い焚き熱交換器７の出口側には追い焚き循環路14の往管20の入口側が接続されており、往管20の出口側は循環金具２を介して浴槽側壁に接続されている。
【０００５】
なお、図６では、配管システムが分かり易いように、往管20の出口側を戻り管15の戻り口側よりも上側に示したが、実際には、例えば、図７の（ａ）に、浴槽壁面の正面図により示すように、往管20の出口側と戻り管15の戻り口側とは、ほぼ同じ高さとなるように、循環金具２に取り付け配設されているものや、同図の（ｂ）に断面図により示すように、往管20の出口側が戻り管15の戻り口側よりも下側となるように取り付けたものが用いられている。
【０００６】
図６に示すように、給湯バーナ４の上側には給湯源としての給湯熱交換器５が設けられ、この給湯熱交換器５の入口側には給水管11が接続され、この給水管11は水道等の水供給源に接続されており、この給水管11にはメインの流量センサ10が介設されている。給湯熱交換器５の出口側には給湯管12が接続されており、この給湯管12は台所等の所望の給湯場所に導かれている。
【０００７】
前記給湯管12には湯張り用管21が分岐されており、この湯張り用管21には注湯制御弁としての注湯電磁弁24と、湯張りの流量を検出する流量検出センサ19と、浴槽水位を検出する水位検出センサとしての圧力センサ13とが設けられている。なお、図中、33はガス管、42は入水温度センサ、43は出湯温度センサをそれぞれ示している。
【０００８】
この湯張り機能付給湯器の給湯運転と、追い焚き運転と、注湯湯張り運転とは制御装置44によって行われており、この制御装置44にはリモコン45が接続されている。このリモコン45の水位設定ボタン等により、設定水位を指定して湯張りを行うことにより、指定した設定水位の湯張りが可能となっている。
【０００９】
この種の湯張り機能付給湯器では、リモコン45により湯張りの設定水位と設定温度を指定し、リモコン45の自動運転スイッチがオンされると、注湯電磁弁24が開けられ、給水管11から水が給湯熱交換器５に入り込む。この給水管11の通水をメインの流量センサ10が検出することにより給湯バーナ４が燃焼し、この燃焼火力でもって給湯熱交換器５を通る水が熱せられて湯になり、この湯は湯張り用管21を通って追い焚き循環路14内に入り、さらにこの追い焚き循環路14の戻り管15と往管20を通して浴槽１内に注湯される。
【００１０】
この注湯湯張り動作を的確に行うために、この種の自動湯張り器具の制御装置44には、図８に示すように、注湯制御部31が設けられており、また、制御装置44には、初期基準水量データメモリ38が設けられている。なお、リモコン45には、動作指令部46が設けられており、注湯湯張り運転動作等の指令を行うようになっている。
【００１１】
注湯制御部31は、記憶モードの動作時に湯張りの条件データを作成記憶し、この記憶した条件データに基づいて、実行モードの動作時に、実際の湯張りを行うシーケンスプログラムを有している。また、初期基準水量データメモリ38は、ＲＯＭ（Read Only Memory）により形成されている。
【００１２】
図９，10には、前記シーケンスプログラムに従って行われる記憶モードでの湯張り動作がフローチャートにより示されている。以下、このフローチャートに基づいて、図６に示したようなシステム構成を有する従来の湯張り機能付き給湯器の動作を説明する。まず、図９のステップ101 で、リモコン45等に設けられている自動スイッチをオンとすると、リモコン45の動作指令部46から注湯制御部31に自動湯張りの指令が加えられ、ステップ102 で、図５に示す如く、最初にＡリットルの呼び水が浴槽１に落とし込まれ、次に、ステップ103 で、循環ポンプ18を短時間駆動させたときに、ステップ104 で、追い焚き流水スイッチ16がオフとなることを確認する。なお、追い焚き流水スイッチ16がオフとならないときには、ステップ123 で記憶エラー報知を行う。
【００１３】
次に、ステップ105 で、図５に示す単位水量のＢリットルの湯水が断続的に落とし込まれていき、この単位水量の湯水が落とし込まれるごとに、ステップ106 で、循環ポンプ18の短時間の駆動が行われて、ステップ107 で、追い焚き流水スイッチ16がオンとなるか否かが判断され、追い焚き循環路14の湯水の循環（流れ）が最初に検出されたことを確認する浴槽湯水確認動作を行う。
【００１４】
なお、追い焚きスイッチ16は、浴槽水位が戻り管15の戻り口、つまり、循環金具２の位置を越えた位置Ｐ0 （図５）でオンするが、このときは、循環ポンプ18をオン起動したとき、追い焚き循環管路14内に空気が取り込まれて浴槽湯水が循環する虞があり、空気が取り込まれると水位の圧力検出に誤差が生じるので、追い焚き循環湯水に空気が取り込まれない水位となるように、前記浴槽湯水確認動作の後に、さらに、初期基準水量として定められたＣリットルの湯水を図９のステップ108 で注湯し、このときの水位を基準水位として設定し、この基準水位の圧力ＰA をステップ109 で、圧力センサ13により検出している。このＣリットルの値は、浴槽湯水確認動作の後に基準水位まで給湯する注湯量（初期基準水量）として定められ、初期基準水量格納部としての初期基準水量データメモリ38に格納されているものである。
【００１５】
次に、ステップ110 では、図５に示す水量Ｄリットルの湯水の給湯が行われ、ステップ111 で、このときの水位を圧力の値Ｐｂとして圧力センサ13により検出する。そして、ステップ112 で、圧力差ΔＰ＝Ｐb −Ｐa を求め、ステップ113 で、この圧力差ΔＰがＸcm以上か否かを判断する。このＸの値は、前記ステップ110 で、Ｄリットルを注湯することにより上昇する水位差の予想量に基づいて設定される値であり、０よりも大きい適宜の値が設定される。圧力差ΔＰがＸcm未満のときには、ステップ124 で、エラー報知が成され、圧力差ΔＰがＸcm以上のときにはステップ114 に進む。そして、ステッップ114 で、前記Ｄリットルを圧力差Ｐｂ−Ｐａの値で割ることにより、浴槽１の開口面積Ｓを計算によって求める。なお、前記ステップ101 からステップ114 までの動作により作製された湯張りの条件データは注湯制御部31に記憶される。
【００１６】
次に、図10のステップ116 で、このときの水位が、リモコン45等によって予め指定された設定水位に達したか否かを判断し、ステップ117 およびステップ118 の動作により、浴槽水位が設定水位に達するまで注湯を行い、設定水位に達したときには、ステップ119 に進む。そして、ステップ119 で、注湯電磁弁24が閉じられている状態で循環ポンプ18を駆動させ、ステップ120 で、予めリモコン45等により指定された設定温度に風呂温度が達すると判断されるまで、ステップ121 による追い焚き動作を行い、風呂温度が設定温度なったときにはステップ122 で沸き上げブザーを鳴らす。
【００１７】
なお、実行モードでの動作は、記憶モードの動作時に記憶した条件データに基づいて、まず、循環ポンプ18を短時間だけ駆動させたときに、追い焚き流水スイッチ16がオンとなるか否かを判断し、追い焚き流水スイッチ16が最初にオンとなることが確認されたときに、前記初期基準水量としてのＣリットルの注湯を行うことにより、前記基準水位までの注湯を行う。そして、この基準水位から指定された設定水位までの注湯量を、例えば、前記開口面積Ｓ×（設定水位−検出水位）の演算によって求めて、求めた注湯量の注湯を行うことにより、設定水位までの注湯を行う。
【００１８】
【発明が解決しようとする課題】
ところで、最近では、図７の（ｃ）に示すように、追い焚き循環路14を浴槽１に接続するときに、往管20の出口側を戻り管15の戻り口側よりも上側に取り付けた循環金具が用いられている。このような金具においては、前記浴槽湯水確認動作の後に初期設定基準水量（例えば10リットル）の注湯を行っても、浴槽水位が往管20の出口側の上側まで達しないこととなる。そうすると、水崩れが生じて追い焚き循環路14内に空気が混入し、それにより、図９のステップ108 でのＣリットル注湯後に、圧力Ｐa を検出したときに、この圧力Ｐa は水位に対応する圧力ではなく、例えば実際の圧力よりもかなり大きな値となってしまう。
【００１９】
そうなると、圧力Ｐa の検出後に、ステップ110 でＤリットル（例えば30リットル）の注湯を行ったにもかかわらず、Ｄリットル注湯後の圧力Ｐb が注湯前の圧力Ｐa よりも小さくなって、圧力差ΔＰ＝Ｐb −Ｐa の値が０よりも小さくなってしまうことになり、注湯制御部31は、圧力センサ13による圧力検出等何ら問題がないにもかかわらず、エラー報知を行ってしまい、しかも、図９のステップ114 以降の動作を停止してしまう、といった問題があった。
【００２０】
本発明は上記課題を解決するためになされたものであり、たとえ追い焚き循環路の戻り口側が出口側よりも下側にあり、その落差があったとしても、自動湯張り動作を的確に行うことができる自動湯張り器具を提供することにある。
【００２１】
【課題を解決するための手段】
上記目的を達成するために、本発明は次のように構成されている。すなわち、本第１の発明は、給湯源の湯を浴槽側壁に接続された追い焚き循環路を通して浴槽に落とし込む配管システムを備え、追い焚き循環路には浴槽内の湯水を循環させる循環ポンプと湯水の流れを検出する流水検出センサが設けられ、また、浴槽水位を検出する水位検出センサが設けられており、浴槽に定水量の単位水量が断続的に落とし込まれるごとに前記循環ポンプを駆動したときに前記流水検出センサによって浴槽内の湯水の流れが最初に検出されたことを確認し、この浴槽湯水確認動作の後に基準水位まで注湯する注湯量であって初期基準水量として定められる水量データを格納する初期基準水量格納部と、この初期基準水量格納部に格納した初期基準水量の湯水を前記浴槽湯水確認動作の後に注湯し、然る後に前記基準水位から指定された設定水位までの注湯量を注湯する注湯制御部を備えた自動湯張り器具であって、前記初期基準水量の変更データを変更基準水量として入力する変更データ入力部と、この入力された変更基準水量のデータを記憶する記憶部と、この記憶部に前記変更基準データを書き込むデータ書き込み部とが設けられており、この変更基準水量が入力された以降は該変更基準水量を初期基準水量として注湯する構成としたことを特徴として構成されている。また、本第２の発明は、前記第１の発明の構成を備えたものにおいて、変更基準水量のデータを記憶する記憶部に変更基準水量のデータが記憶された以降は変更基準水量のデータを初期基準水量のデータとして優先決定し、変更基準水量のデータを記憶する記憶部に変更基準水量のデータが記憶されていないときには初期基準水量格納部に格納されている水量データを初期基準水量のデータとして優先決定する優先決定部が設けられ、注湯制御部は、流水検出センサによって浴槽内の湯水の流れが最初に検出されたことを確認した後に、前記優先決定部によって優先決定された初期基準水量データの水量を浴槽に注湯する構成としたことを特徴とする。
【００２２】
また、本第３の発明は、給湯源の湯を浴槽側壁に接続された追い焚き循環路を通して浴槽に落とし込む配管システムを備え、追い焚き循環路には浴槽内の湯水を循環させる循環ポンプと湯水の流れを検出する流水検出センサが設けられ、また、浴槽水位を検出する水位検出センサが設けられており、浴槽に定水量の単位水量が断続的に落とし込まれるごとに前記循環ポンプを駆動したときに前記流水検出センサによって浴槽内の湯水の流れが最初に検出されたことを確認し、この浴槽湯水確認動作の後に基準水位まで注湯する注湯量であって初期基準水量として定められる水量データを格納する初期基準水量格納部と、この初期基準水量格納部に格納した初期基準水量の湯水を前記浴槽湯水確認動作の後に注湯し、然る後に前記基準水位から指定された設定水位までの注湯量を注湯する注湯制御部を備えた自動湯張り器具であって、前記初期基準水量のデータは選択用データ格納部に水量の異なる複数のデータとして与えられており、該選択用データ格納部に与えられた水量データのうち指定の水量を選択指令する水量データ選定入力部が設けられ、該水量データ選定入力部によって選択指令された水量を初期基準水量として注湯する構成としたことを特徴として構成されている。
【００２３】
【作用】
上記構成の本第１の発明において、変更データ入力部により、初期基準水量の変更データが変更基準水量として入力され、この入力された変更基準水量のデータがデータ書き込み部により、記憶部に書き込まれる。そして、変更基準水量が入力された以降は、この変更基準水量が初期基準水量とされて、この水量の湯水が、浴槽湯水確認動作の後に注湯され、その後、指定された設定水位までの注湯量の注湯が行われる。
【００２４】
また、本第２の発明においては、選択用データ格納部に与えられている水量の異なる複数の水量データのうち、指定の水量が水量データ選定入力部によって選択指令され、この選択指令された水量が初期基準水量とされる。そして、上記本第１の発明と同様に、浴槽湯水確認動作の後に、前記初期基準水量の湯水が注湯され、その後、指定された設定水位までの注湯量が注湯される。
【００２５】
【実施例】
以下、本発明の実施例を図面に基づいて説明する。なお、本実施例の説明において、従来例と同一名称部分には同一符号を付し、その重複説明は省略する。本実施例の自動湯張り器具は、図６に示したシステム構成を有する湯張り機能付給湯器であり、図１には、本発明に係る自動湯張り器具の第１の実施例の制御部要部構成が示されている。本実施例が従来例と異なる特徴的なことは、図１に示す回路構成を設けることにより、初期基準水量を変更できる機能を設けたことである。
【００２６】
同図に示すように、制御装置44は、注湯制御部31、データメモリ30、優先データ書き込み手段33、優先決定部34、変更データ格納部35、変更データ書き込み部36、初期基準水量データメモリ38を有して構成されており、一方、リモコン45には、変更データ入力部39、動作指令部46、表示部40が設けられている。
【００２７】
なお、本実施例においても、初期基準水量データメモリ38、動作指令部46の機能は、従来例とほぼ同様であるので、その説明は省略する。
【００２８】
変更データ入力部39は、初期基準水量の変更データを変更基準水量として入力するものであり、リモコン45に設けられている操作ボタンを操作することにより、変更データが入力されるようになっている。
【００２９】
変更データ書き込み部36は、変更データ入力部39から加えられた変更データを、変更データ格納部35に書き込むデータ書き込み部として機能する。
【００３０】
変更データ格納部35は、変更データ書き込み部36により書き込まれた変更基準水量のデータを記憶する記憶部として機能するものであり、ＥＥＰＲＯＭ（Electrically Erasable/Programable Read Only Memory）等の、読み込みと書き込みが自在の不揮発性のメモリにより形成されている。そして、例えば、前記のように、変更基準水量のデータ（例えば30リットル）が変更データ書き込み部36により書き込まれると、この30リットルといった水量の値が変更データ格納部35に書き込まれる。
【００３１】
優先決定部34は、前記変更データ入力部39により変更データが入力された以降は、この変更データを初期基準水量データメモリ38に与えられている初期基準水量よりも優先するものであり、この優先決定した変更基準水量の値を優先データ書き込み手段33に加える。なお、変更データが入力される前は、初期基準水量データメモリ38を優先データ書き込み手段33に加える。
【００３２】
優先データ書き込み手段33は、優先決定部34により優先決定された水量データを書き込むものである。データメモリ30は、優先決定部34から加えられる水量のデータを記憶する。
【００３３】
注湯制御部31は、前記変更データ入力部39から初期基準水量の変更データが入力される前は、従来例と同様の動作により、浴槽湯水確認動作の後に、初期基準水量データメモリ38に予め与えられている初期基準水量の湯水を注湯して自動湯張り動作を行い、変更データ入力部39により変更データが入力された以降は、優先決定部34で優先決定し、データメモリ30に書き込まれた変更基準水量を初期基準水量として注湯して自動湯張り動作の制御を行う。
【００３４】
図２には、リモコン45の操作・表示面の一例が示されており、リモコン45には、例えば、図２の（ａ）に示すように、湯張りの自動運転を指令する自動ボタン51や、湯張りの水位を選択設定する水位設定ボタン56や、給湯温度設定ボタン52、風呂温度設定ボタン54等の操作ボタン、および、給湯設定温度表示部53、風呂設定温度表示部55、水位表示部57、情報表示部48等の表示部が設けられている。
【００３５】
なお、図１の表示部４０は、本実施例では、図２に示される給湯設定温度表示部５３、風呂温度表示部５５、水位表示部５７、情報表示部４８を示しており、また、リモコン４５には、その他必要に応じ、例えば、高温差し湯、排水、追い焚き、保温等の動作を行わせる動作指令ボタンや、出湯温度センサ４３で検出される出湯温度等の表示部が設けられる。
【００３６】
本実施例では、このリモコン45に、かくしモードと呼ばれる操作機能が設けられている。例えば、通常は、給湯温度設定ボタン52は、給湯の設定温度を操作入力する操作ボタンとして機能し、また、給湯設定温度表示部53は、設定した給湯の設定温度を表示する表示部として機能するものであるが、自動ボタン51と水位設定ボタン56とを同時に５秒間押し続けると、図２の（ｂ）に示すように、情報表示部48に、“水量データ入力モード”の表示が行われ、このとき、給湯温度設定ボタン52は、変更基準水量を入力する変更基準水量入力ボタンとして機能するようになり、給湯設定温度表示部53は初期基準水量の変更データ表示部として機能するようになる。
【００３７】
そして、例えば、図７の（ｃ）に示したように、追い焚き循環路14の往管20の出口側が戻り管15の戻り口側よりも上側に取り付けられており、その落差があるような場合には、図２の（ｂ）に示すように、変更基準水量入力ボタンとして機能している給湯温度設定ボタン52を操作して、初期基準水量の変更データ表示部として機能している給湯温度表示部53の表示が“30”となるように合わせる。
【００３８】
そして、この操作の後に、自動ボタン51と水位設定ボタン56とを同時に５秒間押し続けると、リモコン45の操作・表示面は、再び同図の（ａ）に示した状態に戻り、このとき、前記かくしモードでの操作により、設定した変更基準水量の値が、30リットルとして図１の変更データ入力部39に入力されるようになっている。
【００３９】
本実施例は以上のように構成されており、本実施例でも従来例と同様に、例えば、自動ボタン51を操作して、リモコン45の動作指令部46から制御装置44の注湯制御部31に動作指令を加えると、注湯制御部31の制御により、図９，10に示したフローチャートに従って自動湯張り動作の制御が行われるが、この制御に際し、例えば、図７の（ｃ）に示したように、追い焚き循環路14の戻り管15の戻り口側よりも往管20の出口側の方が上側にあり、その落差がある場合に、リモコン45のかくしモードによる操作を行って、変更データ入力部39に、例えば50リットルといった変更データが入力されると、この変更データは、変更データ書き込み部36によって変更データ格納部35に書き込まれて格納され、この格納された変更データが、優先決定部34により、初期基準水量データメモリ38の初期設定データよりも優先して優先データ書き込み手段33に加えられる。
【００４０】
そして、この優先決定した変更データが、優先データ書き込み手段33によってデータメモリ30に書き込まれ、変更基準水量を初期基準水量として、浴槽湯水確認動作の後に、図９のステップ110 で、30リットル（Ｃリットル）の注湯が行われ、このとき、図７の（ｃ）に示すように、浴槽湯水の水位は、追い焚き循環路14の往管20の出口側よりも上側となる。そのため、初期基準水量データの変更データを入力せずに、Ｃリットル＝10リットルの注湯を行っていた従来例と異なり、水崩れが生じることはなく、Ｃリットル注湯後の水位が、基準水位Ｐa として正確に検出されることになる。そして、この基準水位から設定水位までの注湯が行われる。
【００４１】
本実施例によれば、上記動作により、浴槽１への追い焚き循環路14の取り付け状態（往管20の出口側と戻り管15の戻り口側の取り付け高さの違い）に応じて、リモコン45のかくしモードによる変更データ入力動作を行うことにより、変更データが入力された以降は、この入力された変更基準水量を初期基準水量として注湯し、自動湯張り動作の制御を行うために、たとえ、追い焚き循環路14の出口側と戻り口側とに落差があったとしても、浴槽湯水確認動作後の初期基準水量注湯後に水崩れが生じるいことを防ぐことが可能となる。そのため、従来例の湯張り機能付給湯器と異なり、自動湯張り動作時に、水崩れによって圧力センサ13の検出圧力が誤った値となって、それにより、誤ったエラー報知が行われたり、円滑な湯張り動作の進行が妨げられたりすることはなく、的確に自動湯張り動作を行うことができる。
【００４２】
そして、以上のことから、本実施例では、風呂の施工者等によって行われる自動湯張り動作の運転条件設定動作（記憶モードで行われる動作）がスムーズに行われるようになり、また、風呂の利用者は、常に快適に自動湯張り器具を利用することができる。
【００４３】
また、本実施例によれば、変更データの入力操作は、リモコン45を用いて容易に行うことが可能であり、しかも、この変更データ入力操作は、リモコン45に設けられているかくしモードの操作機能を用いて行われるために、風呂の施工者等が故意にかくしモードを操作して、リモコン45を水量データ入力モードに切り替える操作を行わない限り、施工者以外の人が、通常の操作・表示面に設定されているリモコン45をいたずらしたり、誤って操作したりしても、それらの操作により初期基準水量の変更データが入力されることはなく、誤った変更データ入力による器具の誤動作を防ぐことができる。
【００４４】
図３には、本発明に係る自動湯張り器具の第２の実施例の制御部要部構成が示されている。本実施例の自動湯張り器具も、上記第１の実施例と同様に、図６に示した湯張り機能付給湯器を対象としており、本実施例が上記第１の実施例と異なる特徴的なことは、変更データ入力部39によって入力された初期基準水量の変更データを、変更データ書き込み部36によって初期基準水量データメモリ38に書き込む構成としたことである。なお、本実施例は、上記第１の実施例におけるデータメモリ30、優先決定部34、変更データ格納部35、優先データ書き込み手段33を省略した構成とされている。  また、本実施例でも、リモコン45側の構成およびその機能は、上記第１の実施例と同様であるので、その説明は省略する。
【００４５】
本実施例では、初期基準水量データメモリ38は、ＥＥＰＲＯＭ等の、読み込みと書き込み自在の不揮発性メモリからなり、初期基準水量として定められる水量データを格納する初期基準水量格納部として機能すると共に、変更データ書き込み部36によって書き込まれる変更基準水量のデータを記憶する記憶部としても機能する。
【００４６】
注湯制御部31は、変更データ入力部39によって初期基準水量の変更データが入力される前は、初期基準水量として予め初期基準水量データメモリ38に与えられている初期基準水量に基づいて、従来例および上記第１の実施例と同様の自動湯張り動作制御を行い、変更データ入力部39から変更基準水量の値が入力された以降は、この変更基準水量を初期基準水量として（言い換えれば、変更データ書き込み部36によって書き換えられた初期基準水量の値に基づいて）、自動湯張り動作制御を行う。
【００４７】
本実施例は以上のように構成されており、上記第１の実施例と同様に、リモコン45のかくしモードを操作することにより、初期基準水量の変更データを変更基準水量として入力することができるために、上記第１の実施例と同様に、浴槽１への追い焚き循環路14の取り付け状態等に応じて初期基準水量の変更データを入力することにより、上記第１の実施例と同様の効果を奏することが可能となり、自動湯張り動作を的確に行うことができる。
【００４８】
図４には、本発明に係る自動湯張り器具の第３の実施例の制御部要部構成が示されている。本実施例の自動湯張り器具も上記第１、第２の実施例と同様に、図６に示したシステム構成の湯張り機能付給湯器を対象としており、本実施例では、リモコン45に、水量データ選定入力部37、表示部40、動作指令部46を設けて構成し、制御装置44に、注湯制御部31、初期基準水量データメモリ38、選択用データ格納部28、データ読み出し書き込み部29を設けて構成している。
【００４９】
なお、リモコン45の動作指令部46、表示部40、制御装置44の注湯制御部31の構成および機能は上記第１、第２の実施例とほぼ同様であるので、その説明は省略する。
【００５０】
選択用データ格納部28には、初期基準水量のデータが水量の異なる複数のデータとして与えられており、本実施例では、選択用データ格納部28に、標準初期基準水量として10リットルの水量データが与えられており、また、他に、30リットル、50リットルの水量データが与えられている。水量データ選定入力部37は、選択用データ格納部28に与えられた水量データのうち、指定の水量を選択指令するものである。
【００５１】
この選択指令の操作は、上記第１、第２の実施例と同様に、リモコン45のかくしモードの操作機能を用いて行われるものであり、本実施例では、例えば、図２の（ｂ）に示したように、リモコン45の表示画面を水量データ入力モードに切り換えると、給湯温度設定ボタン52が初期基準水量選択入力ボタンとして機能し、給湯温度表示部53が初期基準水量表示部として機能するようになる。そして、初期基準水量選択入力ボタンとして機能する給湯温度設定ボタン52を操作すると、初期基準水量表示部として機能する給湯温度表示部53の表示が、10，30，50，10，・・・・・というように順に切り換えられ、風呂の施工者等が、選択したい水量データが表示された状態を選択することにより、水量データの選択指令動作を行うことができるようになっている。なお、本実施例でも、この選択指令動作の後に、リモコン45の表示画面を図２の（ａ）に示した通常の状態に戻すことにより、水量データ選定入力部37からの水量データ選択指令がデータ読み出し書き込み部29に加えられる。
【００５２】
データ読み出し書き込み部29は、水量データ選定入力部37からの水量データの選択指令を受けて、指定された水量を選択用データ格納部28から読み出し、初期基準水量データメモリ38に加える。なお、風呂の施工者等が、前記かくしモード機能を利用して、水量データの選択指令動作を行わないときには、データ読み出し書き込み部29は、選択用データ格納部28に前記標準初期基準水量として与えられている水量データ（10リットル）の値を初期基準水量データメモリ38に加える。
【００５３】
初期基準水量データメモリ38は、本実施例でも上記第２の実施例と同様に、例えばＥＥＰＲＯＭ等の、読み込みと書き込みが自在の不揮発性のメモリにより形成されており、データ読み出し書き込み部29から加えられる水量データを初期基準水量として格納する初期基準水量格納部として機能する。
【００５４】
本実施例は以上のように構成されており、リモコン45のかくしモードによる操作によって、水量データ選定入力部37により、選択用データ格納部28に与えられた水量データのうちの指定のデータを選択指令すると、この選択指令された水量の値が、データ読み出し書き込み部29によって読み出され、初期基準水量として初期基準水量データメモリ38に格納される。
【００５５】
そして、このような水量データの選定入力動作が行われた以降は、この選定された水量データが初期基準水量として、前記浴槽湯水確認動作の後に注湯されて自動湯張り動作制御が行われる。また、前記水量データの選定入力動作が行われないときには、選択用データ格納部28に、前記標準初期基準水量として与えられている水量が初期基準水量として、前記浴槽湯水確認動作の後に注湯されて自動湯張り動作が制御される。
【００５６】
本実施例によれば、上記動作により、上記第１、第２の実施例と同様の効果を奏することができる。
【００５７】
なお、本発明は上記実施例に限定されることはなく、様々な実施の態様を採り得る。例えば、上記第１の実施例における変更データ格納部35や、上記第２、第３の実施例における初期基準水量データメモリ38は、ＥＥＰＲＯＭ等の不揮発性のメモリにより形成したが、これらは必ずしもＥＥＰＲＯＭ等の不揮発性メモリにより形成するとは限らず、例えば、ＲＡＭとバックアップバッテリー等を有する構成としてもよい。なお、このように構成したときには、バックアップバッテリー等によりＲＡＭをバッテリーでバックアップすることにより、自動湯張り器具のメイン電源がオフとなっても、変更データ格納部35および、第２、第３の実施例における初期基準水量データメモリ38に格納されたデータを消さずに保存することができる。
【００５８】
また、上記第１の実施例では、優先決定部34で優先決定した変更データを優先データ書き込み手段33によって書き込んで格納した後、この書き込まれたデータメモリ30の格納データに基づいて注湯制御部31による自動湯張り動作制御を行うようにしたが、図１の破線矢印に示すように、優先決定部34から直接、変更データを注湯制御部31に加えて注湯制御部31による運転制御を行うようにしてもよい。
【００５９】
さらに、上記実施例では、リモコン45による変更データ入力動作、および水量データ選択指令動作は、リモコン45に設けたかくしモードの操作機能を用いて行うようにしたが、変更データ入力動作や水量データ選択指令動作は、必ずしもリモコン45のかくしモードにより行うとは限らず、例えば、リモコン45の操作・表示面に、変更データ入力用の専用の操作ボタンや水量データ選択指令用の専用の操作ボタンを設け、この操作ボタンによって変更データの入力や水量データの選択指令を行うようにしてもよい。また、変更データ入力動作や水量データ選択指令動作の際のボタン操作等の具体的な操作方法も、特に限定されるものではなく、適宜設定されるものである。
【００６０】
さらに、上記実施例では、変更データ入力動作、および水量データ選択指令動作は、リモコン45を用いて行うようにしたが、例えば、制御装置44側の制御基板に、例えば、つまみをスライドさせることにより変更データの入力や水量データの選択指令を行うことができるアナログスイッチ等を設け、このスイッチを操作することにより変更データの入力動作や水量データ選択指令動作を行うスライドスイッチ方式の自動湯張り器具としてもよい。
【００６１】
さらに、上記実施例では、リモコン45の操作・表示面は、図２に示したような構成としたが、リモコン45の操作・表示面は特に限定されるものではなく、適宜設定されるものである。
【００６２】
【発明の効果】
本発明によれば、追い焚き循環路に設けた循環ポンプを駆動したときに、浴槽内の湯水の流れが最初に検出されたことを確認する浴槽湯水確認動作の後に基準水位まで注湯する初期基準水量の値を、前記追い焚き循環路の浴槽への取り付け状態に対応させて変更したり、選択入力したりできるように構成したために、たとえ追い焚き循環路の戻り口側が出口側よりも下側に取り付けられてその落差があったとしても、前記初期基準水量の湯水の注湯後に水崩れ等が生じることはなく、従来のように水崩れ等の原因で引き起こされる自動湯張り動作の誤動作を防ぐことが可能となり、円滑、かつ、的確に自動湯張り動作を行うことができる。そのため、追い焚き循環路の浴槽への取り付け状態がどのような状態であっても、その取り付け状態に対応させて的確に自動湯張り動作等を行うことができる優れた自動湯張り器具を提供することができる。
【図面の簡単な説明】
【図１】本発明に係る自動湯張り器具の第１の実施例の要部構成を示すブロック図である。
【図２】上記実施例の自動湯張り器具におけるリモコン45の操作・表示面の表示例を示す説明図である。
【図３】本発明に係る自動湯張り器具の第２の実施例の制御部要部構成を示すブロック図である。
【図４】本発明に係る自動湯張り器具の第３の実施例の制御部要部構成を示すブロック図である。
【図５】自動湯張り器具の記憶モードの湯張り動作における各段階での注湯量の説明図である。
【図６】自動湯張り器具としての湯張り機能付給湯器のシステム構成例の説明図である。
【図７】自動湯張り器具における追い焚き循環路の浴槽への取り付け状態例を示す説明図である。
【図８】従来の自動湯張り器具の自動湯張り制御部を示すブロック説明図である。
【図９】自動湯張り器具の自動湯張り動作を示すフローチャートである。
【図１０】図９に続く、自動湯張り器具の自動湯張り動作を示すフローチャートである。
【符号の説明】
14  追い焚き循環路
15  戻り管
20  往管
28  選択用データ格納部
29  データ読み出し書き込み部
31  注湯制御部
35  変更データ格納部
36  変更データ書き込み部
37  水量データ選定入力部
38  初期基準水量データメモリ
39  変更データ入力部
【図１】
0003798042.tif 000002
【図２】
0003798042.tif 000003
【図３】
0003798042.tif 000004
【図４】
0003798042.tif 000005
【図５】
0003798042.tif 000006
【図６】
0003798042.tif 000007
【図７】
0003798042.tif 000008
【図８】
0003798042.tif 000009
【図９】
0003798042.tif 000010
【図１０】
0003798042.tif 000011